(57)【特許請求の範囲】
【請求項１】
中性極電路を含む複数の電路に対応して所定の関係に配列された端子金具と、上記複数の電路の夫々を開閉するようになされた開閉接点と、上記電路に流れる電流を検出する検出手段と、この検出手段からの出力信号を演算処理して、上記電路に流れる電流が所定の電流値を超過したとき上記開閉接点を開離する信号を発生する制御部と、上記端子金具、開閉接点、検出手段、制御部を収納する本体ケースとを備えた多極形回路遮断器において、上記制御部に、手動操作できるように構成された中性極切換え操作部を有し、この中性極切換え操作部の操作により、上記端子金具の中で中性極に指定されていた端子金具の指定を他の端子金具に指定を切換えて演算処理できるようにしたことを特徴とする多極形回路遮断器。
【請求項２】
上記切換え操作部は、本体ケースの外面にあって上記本体ケースに着脱できるように構成され、かつ、この着脱が切換え操作になるようにした切換え操作プラグであることを特徴とする請求項１記載の多極形回路遮断器。
【請求項３】
上記切換え操作プラグは、中性極に指定された端子金具の位置を判別できるように、上記指定された端子金具の近傍に着脱自在に設けたものであることを特徴とする請求項２記載の多極形回路遮断器。
【請求項４】
上記切換え操作プラグは、ショートジャンパーにより構成され、制御部の一部分に形成された電極部に対する接離により、中性極端子金具の指定を切換えて演算処理できるようにしたことを特徴とする請求項２または請求項３記載の多極形回路遮断器。
【請求項５】
上記切換え操作プラグは、非接触ＩＣにより構成され、制御部と非接触で通信を行うことにより、中性極端子金具の指定を切換えて演算処理できるようにしたことを特徴とする請求項２または請求項３記載の多極形回路遮断器。
【発明の詳細な説明】
【技術分野】
【０００１】
この発明は、例えば三相４線式回路遮断器のように、中性極電路を含む複数の電路に配設され、電路に流れる負荷電流に基づいて電路を遮断する多極形回路遮断器に関するものである。
【背景技術】
【０００２】
従来の多極形回路遮断器は、例えば三相４線式回路遮断器においては、第１相、第２相、第３相、中性極相（以下Ｎ相という）の複数の電路に配設され、それぞれの電路に流れる電流を検出手段で検出し、その検出手段からの出力信号を制御部により演算処理して、電路に流れる電流が所定の電流値を超えたときトリップ機構を介して開閉接点を開路するように構成されている（例えば、特許文献１参照。）。
また、本体ケースには、複数の電路のうちＮ相の配設位置がわかるように、Ｎ相を接続する端子金具の近傍にＮ記号を表示するようにしていた（例えば、特許文献２参照。）。
【０００３】
【特許文献１】特開平６−６０７８９号公報（図１）
【特許文献２】特開昭５９−７９９３２号公報（第１図）
【発明の開示】
【発明が解決しようとする課題】
【０００４】
従来の多極形回路遮断器は以上のように構成されているが、国内向と海外向ではＮ相の位置が異なる。即ち、国内向の多極形回路遮断器の端子金具は、左側から、第１相、第２相、第３相、Ｎ相のように配列され、これに対して、海外向のものは、左側から、Ｎ相、第１相、第２相、第３相、のように配列される。さらに、Ｎ相は接地相であるため、例えば、過電流に対する保護を実施しない等、他の電圧極とは要求される特性が異なるものになされることがある。従って、国内向、海外向のそれぞれの仕様に適合するように生産しなければならず、生産コストが高くなるという問題点があった。
【０００５】
本発明は、上記のような問題点を解決するためになされたもので、多極形回路遮断器において、国内向と海外向２種類の製品を用意することなく、１台の多極形回路遮断器でありながら、国内向、海外向両方に対応できる多極形回路遮断器を得るものである。
【課題を解決するための手段】
【０００６】
本発明に係る多極形回路遮断器は、中性極電路を含む複数の電路に対応して所定の関係に配列された端子金具と、複数の電路の夫々を開閉するようになされた開閉接点と、上記電路に流れる電流を検出する検出手段と、この検出手段からの出力信号を演算処理して、上記電路に流れる電流が所定の電流値を超過したとき上記開閉接点を開離する信号を発生する制御部と、上記端子金具、開閉接点、検出手段、制御部を収納する本体ケースとを備えた多極形回路遮断器において、上記制御部に、手動操作できるように構成された切換え操作部を有し、この切換え操作部の操作により、上記端子金具の中で中性極に指定されていた端子金具の指定を他の端子金具に指定を切換えて演算処理できるようにしたものである。
【発明の効果】
【０００７】
本発明は以上説明したように、中性極電路を含む複数の電路に対応して所定の関係に配列された端子金具と、複数の電路の夫々を開閉するようになされた開閉接点と、上記電路に流れる電流を検出する検出手段と、この検出手段からの出力信号を演算処理して、上記電路に流れる電流が所定の電流値を超過したとき上記開閉接点を開離する信号を発生する制御部などを備えた多極形回路遮断器において、制御部に、手動操作できるように構成された切換え操作部を有し、この切換え操作部の操作により、端子金具の中で中性極に指定されていた端子金具の指定を他の端子金具に指定を切換えて演算処理できるようにしたので、国内向、海外向の対応が切換え操作部の切換え操作で可能になる。従って、複数の仕様の製品を用意する必要がなく、生産性が向上し生産コストを安くすることが出来る。
【０００８】
また、切換え操作部の構成は、本体ケースの外面にあって、その本体ケースに着脱できるように構成され、かつ、この着脱が切換え操作になるようにした切換え操作プラグにすることにより、国内向、海外向の対応が容易になる。
【０００９】
さらに、切換え操作プラグを、中性極電路のための端子金具の位置を判別できるように、中性極電路の端子金具の近傍に着脱自在に設けることにより、中性極の表示を兼ねた構成にできるので、国内向、海外向の対応が一層容易になる。
【発明を実施するための最良の形態】
【００１０】
実施の形態１．
以下、本発明の実施の形態１を図１〜図７に基づいて説明する。この場合、図１は本発明の多極形回路遮断器を一部分を分解して示す外観斜視図である。図２は切換え操作プラグの拡大図である。図３は中性極非表示プラグの拡大図である。図４は図１の多極形回路遮断器の要部拡大図である。図５は本発明の実施の形態１における多極形回路遮断器の構成を示すブロック図である。図６は図５に示すアナログスイッチ部が海外向設定時の切換え状態を示すブロック図である。図７は図５に示すアナログスイッチ部が国内向設定時の切換え状態を示すブロック図である。
【００１１】
図１において、１００は海外向の多極形回路遮断器であり、合成樹脂製のカバー１ａとベース１ｂで形成された本体ケース１と、電路に接続するための端子金具ＴＮ，Ｔ１，Ｔ２，Ｔ３と、開閉操作ハンドルＨが示されている。本体ケースの内部には、後述するように、電路に流れる電流を開閉する開閉接点１０、中性極を含む複数の電路１１、電流検出手段１２、制御部１３、引外し装置１４などが収納されている。
【００１２】
また、カバー１ａには、中性極に指定された端子金具ＴＮの近傍に嵌挿穴２ａが形成され、端子金具Ｔ３の近傍に嵌挿穴２ｂが形成されている。嵌挿穴２ａの内部には、制御部１３の一部分（アナログスイッチ部１５の一部分）に形成された電極部５即ち切換えピン５ａ，５ｂが突設されている。この嵌挿穴２ａには、中性極を指定するために図２に示すような切換え操作プラグ３が嵌挿される。嵌挿穴２ｂには図３に示すような中性極非表示プラグ４が嵌挿される。
【００１３】
図２において、切換え操作プラグ３は、例えば、熱可塑性樹脂成形品で形成され、前面に中性極電路の配置位置を表示する中性極表示部３ａがあり、背面には切換えピン５ａ，５ｂを電気的に接続するためのショートジャンパー３ｂが内装されている。なお、中性極表示部３ａは英文字のＮを表示してある。また、ショートジャンパー３ｂは銅材を用いて切換えピン５ａ，５ｂが嵌り込むように形成されたものである。
【００１４】
図３において、中性極非表示プラグ４は、中性極表示部を持たず、嵌挿穴２ａ側にある切換えピン５ａ，５ｂと干渉しないための穴４ａを有している。従って、嵌挿穴２ａに嵌挿しても切換えピン５ａ，５ｂはショートされず、設定は切換らない。ただし、中性極非表示プラグ４は、設定を切換えるために切換え操作プラグ３を差し換えた時、切換え操作プラグ３が嵌挿されていない嵌挿穴２ｂへ嵌挿することで、多極形回路遮断器１００の内部に水分や埃など異物が侵入するのを防ぎ、多極形回路遮断器１００の故障を防止する働きがある。  
【００１５】
図４において、（ａ）の図は嵌挿穴２ａに切換え操作プラグ３が嵌挿されているもので、この場合、中性極は左側に設定される。これは海外向の仕様である。同様に（ｂ）の図は嵌挿穴２ｂに切換え操作プラグ３が嵌挿されているもので、この場合中性極は右側に設定される。これは国内向の仕様である。図４（ａ）及び図４（ｂ）において、いずれも切換え操作プラグ３が中性極の位置を明確に示しており、中性極非表示プラグ４が切換え操作プラグ３の嵌挿されていない嵌挿穴に嵌挿され、多極形回路遮断器１００の内部に異物が入り込むのを防いでいる。なお、この多極形回路遮断器１００を使用するときは、切換え操作プラグ３及び中性極非表示プラグ４は、いずれも取り外しできないように、接着などにより固着される。
【００１６】
図５において、多極形回路遮断器１００は、本体ケース１あるいは端子金具ＴＮ，Ｔ１，Ｔ２，Ｔ３などの図示を省略し、制御部１３に関係する構成を示したものである。即ち、複数の開閉接点１０、中性極電路を含む複数の電路１１、電流検出手段１２、制御部１３、引外し装置１４、アナログスイッチ部１５で構成されている。この構成において、アナログスイッチ部１５は、図６及び図７に示すように構成され、アナログスイッチ１５０〜１５７は、いずれも外部からのコントロール信号にもとづいてｃ接点のような切換動作をするように配設されている。
【００１７】
なお、図６は切換操作プラグ３が嵌挿穴２ａに挿入され切換ピン５ａ、５ｂを電気的に接続し、各アナログスイッチにコントロール信号が与えられた状態を示しており、図７は中性極非表示プラグ４が嵌挿穴２ａに挿入され、切換ピン５ａ、５ｂが電気的に接続されず、各アナログスイッチにコントロール信号が与えられない状態を示している。
【００１８】
図６は海外向の端子金具の配列による構成を示すもので、電流検出手段１２ａは中性極Ｎ相の電流を検出する。電流検出手段１２ｂは第１相の電流を検出する。電流検出手段１２ｃは第２相の電流を検出する。電流検出手段１２ｄは第３相の電流を検出する。図７は国内向の端子金具の配列による構成を示すもので、電流検出手段１２ａは第１相の電流を検出する。電流検出手段１２ｂは第２相の電流を検出する。電流検出手段１２ｃは第３相の電流を検出する。電流検出手段１２ｄは中性極Ｎ相の電流を検出する。上記のように検出された信号は、いずれもアナログスイッチ部１５を通り、演算機能を有する制御部１３に入力される。
【００１９】
上記の構成において、図４（ａ）に示すように、嵌挿穴２ａに切換え操作プラグ３を嵌挿することにより切換えピン５ａ，５ｂが電気的に接続されたときは図６のアナログスイッチ部１５の状態になる。即ち、海外向の構成になる。つぎに、図４（ｂ）に示すように、嵌挿穴２ｂに切換え操作プラグ３を嵌挿することにより（切換え操作プラグ３を嵌挿穴２ａから抜き取って嵌挿穴２ｂに嵌挿することにより）切換えピン５ａ，５ｂの電気的接続を開離すると図７のようにアナログスイッチ部１５が切換えられた状態になる。即ち、国内向の構成になり、電流検出手段１２にて検出された信号の通信経路を変更するように形成されている。
【００２０】
次に、上記のように電流検出手段１２にて検出された信号の通信経路変更により電流検出手段１２ａあるいは１２ｄがＮ相の電流を検出することになる理由について詳細に説明する。図６の海外向のものにおいて、図中の太線は、電流検出手段１２にて検出された信号の経路を示す。嵌挿穴２ａに切換え操作プラグ３が嵌挿され、嵌挿穴２ｂに中性極非表示プラグ４が嵌挿されると、アナログスイッチ１５０から１５７は図６に示すような接続になる。従って、この場合、電流検出手段１２ａで検出された信号は、図中で上方に示す一方の線の信号がアナログスイッチ１５０を通り、図中で下方に示す他方の線の信号がアナログスイッチ１５７を通り、制御部１３の入力部１３ｄに入力される。同様に、電流検出手段１２ｂで検出された信号は、図中で上方に示す一方の線の信号がアナログスイッチ１５２を通り、図中で下方に示す他方の線の信号がアナログスイッチ１５１を通り、制御部１３の入力部１３ａに入力される。電流検出手段１２ｃで検出された信号は、図中で上方に示す一方の線の信号がアナログスイッチ１５４を通り、図中で下方に示す他方の線の信号がアナログスイッチ１５３を通り、制御部１３の入力部１３ｂに入力される。電流検出手段１２ｄで検出された信号は、図中で上方に示す一方の線の信号がアナログスイッチ１５６を通り、図中で下方に示す他方の線の信号がアナログスイッチ１５５を通り、制御部１３の入力部１３ｃに入力される。
【００２１】
このように海外向の場合においては、入力部１３ａに入力された信号は第１相電流の情報として処理される。同様に、入力部１３ｂに入力された信号は第２相電流の情報として、入力部１３ｃに入力された信号は第３相電流の情報として、入力部１３ｄに入力された信号は中性極電流の情報として、それぞれ制御部１３により演算処理される。
【００２２】
次に、国内向の場合について図７を用いて説明する。図中の太線は、電流検出手段１２にて検出された信号の経路を示す。嵌挿穴２ａに中性極非表示プラグ４が嵌挿され、嵌挿穴２ｂに切換え操作プラグ３が嵌挿されると、アナログスイッチ１５０から１５７は図７に示すような接続になる。従って、この場合、電流検出手段１２ａで検出された信号は、図中で上方に示す一方の線の信号がアナログスイッチ１５０を通り、図中で下方に示す他方の線の信号がアナログスイッチ１５１を通り、制御部１３の入力部１３ａに入力される。
同様に、電流検出手段１２ｂで検出された信号は、図中で上方に示す一方の線の信号がアナログスイッチ１５２を通り、図中で下方に示す他方の線の信号がアナログスイッチ１５３を通り、制御部１３の入力部１３ｂに入力される。
電流検出手段１２ｃで検出された信号は、図中で上方に示す一方の線の信号がアナログスイッチ１５４を通り、図中で下方に示す他方の線の信号がアナログスイッチ１５５を通り、制御部１３の入力部１３ｃに入力される。
電流検出手段１２ｄで検出された信号は、図中で上方に示す一方の線の信号がアナログスイッチ１５６を通り、図中で下方に示す他方の線の信号がアナログスイッチ１５７を通り、制御部１３の入力部１３ｄに入力される。
【００２３】
このように国内向の場合においては、入力部１３ａに入力された信号は第１相電流の情報として処理される。同様に、入力部１３ｂに入力された信号は第２相電流の情報として、入力部１３ｃに入力された信号は第３相電流の情報として、入力部１３ｄに入力された信号は中性極電流の情報として、それぞれ制御部１３により演算処理される。
【００２４】
従って、信号の演算処理を行う制御部１３には、電圧相の電流情報、中性極の電流情報が国内向、海外向にかかわらず、所定の入力部に確実に入力され、各入力情報は処理される。そして、過電流を検出した場合は、図５に示された制御部１３から引外し装置１４にトリガ信号が出力され、引外し装置１４が動作し、開閉接点１０を開いて電流を遮断し、電路を保護する。
【００２５】
なお、前記の実施例では、切換え操作プラグ３及び中性極非表示プラグ４の差し換えにより国内向、海外向の設定のみを変更したが、各プラグに保護特性（例えば、中性極を保護しない、電圧極の５０％で動作する、など）を持たせても良い。これにより、複数の時限特性を１つの多極形回路遮断器に搭載でき、より細かな電路保護を実現できる。
【００２６】
以上のように、複数の端子金具の近傍において、海外向の場合の中性極に指定される端子金具を判別できる位置に切換え操作プラグ３を嵌挿する嵌挿穴２ａを設け、国内向の場合の中性極に指定される端子金具を判別できる位置に中性極非表示プラグ４を嵌挿する嵌挿穴２ｂを設けることにより、切換え操作プラグ３の着脱（中性極非表示プラグ４との取り換え）のような簡単な手段により、国内向、海外向を容易に切り換えできる。従って、２種類の仕様の多極形回路遮断器を用意する必要がなくなり、生産コストを低減することが出来る。また、切換え操作プラグ３に中性極表示部３ａを設けることにより、中性極の位置を明確に示すことになるので、回路遮断器の規格も同時に満足することが出来る。さらに、中性極非表示プラグ４を用意することにより、切換え操作プラグ３を差し換えたあとの嵌挿穴２ａを塞いで、多極形回路遮断器１００の内部に水分や埃などの異物の侵入を防止し、故障を予防できる。
【００２７】
上述した多極形回路遮断器１００においては、中性極に指定される端子金具の近傍に
嵌挿穴２ａ及び嵌挿穴２ｂを設けて、中性極表示部３ａを有する切換え操作プラグ３と中性極非表示プラグ４を入れ替えることにより、国内向、海外向を切り換えできるように構成されている。この場合、嵌挿穴２ａには切換えピン５ａ，５ｂが設置される。切換えピン５ａ，５ｂはアナログスイッチ部１５の一部分を構成するものであるため、中性極に指定される端子金具の近傍に設けることが不便な場合がある。この場合には、本体ケース１において切換えピン５ａ，５ｂを設け易い場所に嵌挿穴２ａを設けてもよい。中性極表示部３ａに相当するものは、転写マークなどの手段により適宜対応することが可能である。
【００２８】
実施の形態２．
前記実施の形態１における多極形回路遮断器１００は、アナログスイッチ部１５を用いた構成を示したが、電流検出手段１２によって検出されたアナログ信号をディジタル信号に変換するＡ／Ｄコンバータを用いて構成することも可能である。以下、本発明の実施の形態２を図８〜図１０に基づいて説明する。図８は実施の形態２における多極形回路遮断器の構成を示す国内仕様のブロック図である。図９は実施の形態２における多極形回路遮断器の構成を示す海外仕様のブロック図である。図１０は実施の形態２における多極形回路遮断器の動作を表したフローチャートである。この場合、多極形回路遮断器の外観、切換え操作プラグ３、中性極非表示プラグ４、要部拡大図については、実施の形態１と同様であるため説明を省略する。
【００２９】
図８及び図９において、制御部１３は、電流検出手段１２によって検出されたアナログ信号をディジタル信号に変換するＡ／Ｄコンバータ１６と、演算を行う演算部１７と、演算部１７における演算の割り当てを外部からの信号によって変更する設定部１８とから構成されている。
【００３０】
次に国内向の場合について、図１、図８及び図１０を用いて動作を説明する。図８において、電路１１を流れる電流は、電流検出手段１２にて検出される。ここで、電流検出手段１２ａは第１相電流を検出する。同様に、電流検出手段１２ｂは第２相電流を、電流検出手段１２ｃは第３相電流を、電流検出手段１２ｄは中性極電流をそれぞれ検出する。
検出された信号は、制御部１３の入力部１３ａ、１３ｂ、１３ｃ、１３ｄにそれぞれ入力され、Ａ／Ｄコンバータ１６でディジタル信号に変換される。入力部１３ａに入力された信号はＡ／Ｄ変換された後、出力部１６ａから出力される。同様に、入力部１３ｂに入力された信号は出力部１６ｂから、入力部１３ｃに入力された信号は出力部１６ｃから、入力部１３ｄに入力された信号は出力部１６ｄからそれぞれ出力され演算部１７で演算される。
【００３１】
この演算部１７における演算の割り当ては、設定部１８で変更される。以下、図１０を参照して説明する。先ず、中性極非表示プラグ４を嵌挿穴２ａに嵌挿し、設定部１８に入力がない状態を想定すると（Ｓ０１）、設定部１８は演算部１７の演算の割り当てを国内向（Ｓ０２）に設定する。具体的には、演算部１７は、出力部１６ａの信号を第１相電流の情報として、出力部１６ｂの信号を第２相電流の情報として、出力部１６ｃの信号を第３相電流の情報として、出力部１６ｄの信号を中性極電流の情報として演算する。以上のように設定された演算の割り当てにて電流検出部１２で検出された信号を演算し（Ｓ０４）、過電流が流れているかどうかを判断する（Ｓ０５）。過電流が認められた場合は、所定の時限特性で引外し装置を動作させ（Ｓ０６）、多極型開路遮断器を開路させる。過電流が認められなかった場合は、国内向、海外向の設定に変更がなかったかを判断し（Ｓ０７）、変更がなかった場合は再び演算（Ｓ０４）に戻る。変更が認められた場合は、設定部１８の信号の有無判断（Ｓ０１）に戻る。
【００３２】
次に海外向の場合について、図１、図９及び図１０を用いて動作を説明する。図９において、電路１１を流れる電流は、電流検出手段１２にて検出される。ここで、電流検出手段１２ａは中性極電流を検出する。同様に、電流検出手段１２ｂは第１相電流を、電流検出手段１２ｃは第２相電流を、電流検出手段１２ｄは第３相電流をそれぞれ検出する。検出された信号は、制御部１３の入力部１３ａ、１３ｂ、１３ｃ、１３ｄにそれぞれ入力され、Ａ／Ｄコンバータ１６でディジタル信号に変換される。入力部１３ａに入力された信号はＡ／Ｄ変換された後、出力部１６ａから出力される。同様に、入力部１３ｂに入力された信号は出力部１６ｂから、入力部１３ｃに入力された信号は出力部１６ｃから、入力部１３ｄに入力された信号は出力部１６ｄからそれぞれ出力され演算部１７で演算される。
【００３３】
この演算部１７における演算の割り当ては、設定部１８で変更される。以下、図１０を参照して説明する。先ず、切換え操作プラグ３を嵌挿穴２ａに嵌挿し、設定部１８に入力がある状態を想定すると（Ｓ０１）、設定部１８は演算部１７の演算の割り当てを海外向（Ｓ０３）に設定する。具体的には、演算部１７は、出力部１６ａの信号を中性極電流の情報として、出力部１６ｂの信号を第１相電流の情報として、出力部１６ｃの信号を第２相電流の情報として、出力部１６ｄの信号を第３相電流の情報として演算する。以上のように設定された演算の割り当てにて電流検出部１２で検出された信号を演算し（Ｓ０４）、過電流が流れているかどうかを判断する（Ｓ０５）。過電流が認められた場合は、所定の時限特性で引外し装置を動作させ（Ｓ０６）、多極型開路遮断器を開路させる。過電流が認められなかった場合は、国内向、海外向の設定に変更がなかったかを判断し（Ｓ０７）、変更がなかった場合は再び演算（Ｓ０４）に戻る。変更が認められた場合は、設定部１８の信号判断（Ｓ０１）に戻る。
【００３４】
従って、信号の演算、処理を行う制御部１３には、電圧相の電流情報、中性極の電流情報が確実に入力され、各入力情報は処理される。そして、図８及び図９に示すように、過電流を検出した場合は、制御部１３から引外し装置１４にトリガ信号が出力され、引外し装置は動作し、開閉接点１０を開いて電流を遮断し、電路を保護する。
【００３５】
また、上述した実施の形態２では、切換え操作プラグ３及び中性極非表示プラグ４の差し替えにより国内向、海外向の設定のみを変更したが、各プラグに保護特性（例えば、中性極を保護しない、電圧極の５０％で動作する、など）を持たせても良い。これにより、複数の時限特性を１つの多極形回路遮断器に搭載でき、より細かな電路保護を実現できる。
【００３６】
以上により、本体ケースの外面にあって、かつ、中性極に指定された端子金具の近傍に、切換え操作プラグ３または中性極非未表示プラグ４を嵌挿する嵌挿穴２ａ及び２ｂを設けることにより、切換え操作プラグ３を使って国内向、海外向を容易に変更することができる。従って、２種類の仕様の多極形回路遮断器を用意する必要がなくなり、生産コストを安くすることができる。また、切換え操作プラグ３に中性極表示部３ａを設けていることで、中性極の位置を明確に示すことができ、回路遮断器の規格も同時に満足することができる。加えて、切換え操作プラグ３に加えて、中性極非表示プラグ４を用意することにより、切換え操作プラグ３を差し換えたあとの嵌挿穴を塞ぎ、多極形回路遮断器１００の内部に水分や埃といった異物が侵入することを防ぎ、故障を予防できる。
【００３７】
また、実施の形態２では、切換え操作プラグ３や中性極非表示プラグ４の差し換えで国内向、海外向の設定のみを変更したが、実施の形態１で述べたように、各プラグに保護特性を持たせても良い。ショートジャンパーで設定を変更する場合は、実施の形態１で述べたようにピン５の数を増やし、切換え操作プラグ３や中性極非表示プラグ４に組込むショートジャンパーの構成を変更することで容易に対応することが出来る。
【００３８】
実施の形態３．
上述した実施の形態１及び実施の形態２における多極形回路遮断器１００は、制御部１３の一部分に形成された切換えピン５ａ，５ｂに対する接離により、中性極端子金具の指定を切換えて演算処理できるようにした構成を示したが、切換えピン５ａ，５ｂを用いることなく、同様の動作を行うことができる。以下、本発明の実施の形態３を図１１〜図１３に基づいて説明する。図１１は実施の形態３における多極形回路遮断器の構成を示す外観図である。図１２は設定変更手段として非接触ＩＣを用いた切換え操作プラグ１９の構造図であり、切換え操作プラグ１９の前面には中性極電路の配置位置を表示する中性極表示部１９ａがあり、背面に非接触ＩＣ１９ｂが設けられている。図１３は非接触ＩＣを設定変更手段とした場合の構成を示すブロック図である。
【００３９】
図１１において、多極形回路遮断器２００は、カバー２１０ａを貫通しない嵌挿穴２ａ、２ｂを有する。これは、中性極端子金具の指定を切換えて演算処理する手段として切換え操作プラグ１９に非接触ＩＣ１９ｂを用いているため、多極形回路遮断器２００内部に配設される回路基板と時限特性変更手段が接触していなくても時限特性を変更できるためである。
【００４０】
なお、図１２において、非接触ＩＣ形切換え操作プラグ１９は、中性極表示部１９ａ、非接触ＩＣ１９ｂで構成され、例えば、中性極表示部１９ａと非接触ＩＣ１９ｂをインサート成形にて形成する。
【００４１】
図１３に本発明の実施の形態３における非接触ＩＣ形切換え操作プラグ１９を用いた構成を示すブロック図を示す。この構成において、信号送受信部２０から非接触ＩＣ１９ｂにアクセスし、非接触ＩＣ１９ｂから信号を読み取る。それを設定部１８に入力し、前記の実施の形態と同様に動作させる。この場合、設定変更手段が非接触ＩＣ１９ｂのため、制御部１３を搭載した開路基板に非接触ＩＣ形切換え操作プラグ１９を接触させる必要がなく、よって、嵌挿穴２ａ、嵌挿穴２ｂはカバー２１０ａを貫通する必要がない。そのため、中性極非表示プラグ４などを用意しなくても、多極形回路遮断器２００の内部に水分や埃など異物が侵入せず、より高い安全性を確保することが出来る。
【００４２】
また、実施の形態３では、非接触ＩＣ形切換え操作プラグ１９により国内向、海外向の設定のみを変更したが、実施の形態１で述べたように、各プラグに保護特性を持たせても良い。この場合、非接触ＩＣ１９ｂに各種情報を書き込んでおくことで、容易に対応することが出来る。また、複数の時限特性を１つの多極形回路遮断器に搭載でき、より細かな電路保護を実現できる。
【００４３】
以上のように、本体ケースの外面にあって、かつ、中性極に指定された端子金具の近傍に、非接触ＩＣ形切換え操作プラグ１９を嵌挿する嵌挿穴２ａ及び２ｂを設けることにより、非接触ＩＣ形切換え操作プラグ１９を使って国内向、海外向を容易に変更することができる。従って、２種類の仕様を用意する必要がなくなり、生産コストを安くすることができる。また、非接触ＩＣ形切換え操作プラグ１９に中性極表示部１９ａを設けていることで、中性極の位置を明確に示すことができ、回路遮断器の規格も同時に満足することができる。加えて、非接触ＩＣ１９ｂを用いることで、嵌挿穴２ａ、２ｂはカバー２１０ａを貫通する必要がなくなり、実施の形態１及び２で紹介した中性極非表示プラグ４を嵌挿しなくても、多極形回路遮断器１００の内部に水分や埃といった異物が侵入することを防ぎ、故障を予防できるなどの効果を奏する。
【図面の簡単な説明】
【００４４】
【図１】本発明の実施の形態１における多極形回路遮断器を一部分解して示す外観斜視図である。
【図２】切換え操作プラグの構成を示す拡大図である。
【図３】中性極非表示プラグの構成を示す拡大図である。
【図４】図１に示す多極形回路遮断器の要部拡大図である。
【図５】実施の形態１における多極形回路遮断器の構成を示すブロック図である。
【図６】図５のアナログスイッチ部の海外向設定時の動作を示すブロック図である。
【図７】図５のアナログスイッチ部の国内向設定時の動作を示すブロック図である。
【図８】本発明の実施の形態２における多極形回路遮断器の構成を示す国内仕様のブロック図である。
【図９】本発明の実施の形態２における多極形回路遮断器の構成を示す海外仕様のブロック図である。
【図１０】本発明の実施の形態２における動作を表したフローチャートである。
【図１１】本発明の実施の形態３における多極形回路遮断器の構成を示す外観斜視図である。
【図１２】設定変更手段として非接触ＩＣを用いた切換え操作プラグの構造図である。
【図１３】本発明の実施の形態３における非接触ＩＣを設定変更手段とした場合の構成を示すブロック図である。
【符号の説明】
【００４５】
１００  多極形回路遮断器
１      本体ケース
１ａ    カバー
１ｂ    ベース
２ａ    嵌挿穴
２ｂ    嵌挿穴
３      切換え操作プラグ
３ａ    中性極表示部
３ｂ    ショートジャンパー
５      電極部
１０    開閉接点
１２    電流検出手段
１３    制御部
１９ｂ  非接触ＩＣ
Ｔ１，Ｔ２，Ｔ３  端子金具
ＴＮ  中性極に指定された端子金具
Ｈ  開閉操作ハンドル。
【図１】
0005121541.tif 000002
【図２】
0005121541.tif 000003
【図３】
0005121541.tif 000004
【図４】
0005121541.tif 000005
【図５】
0005121541.tif 000006
【図６】
0005121541.tif 000007
【図７】
0005121541.tif 000008
【図８】
0005121541.tif 000009
【図９】
0005121541.tif 000010
【図１０】
0005121541.tif 000011
【図１１】
0005121541.tif 000012
【図１２】
0005121541.tif 000013
【図１３】
0005121541.tif 000014